(57)【要約】【課題】本発明は、良好な表示品質を有する表示パネルを提供する。【解決手段】表示パネルが備えられる。表示パネルは、カラーフィルタ基板を含む。カラーフィルタ基板は、第１基板、ブラックマトリクス、カラーフィルタ層、透明導電層及び複数のスペーサを含む。ブラックマトリクス及びカラーフィルタ層は、第１基板上に配置される。透明導電層は、カラーフィルタ層及びブラックマトリクスの上に配置され、かつ、ブラックマトリクスの上方に位置する複数の開口部を有する。スペーサは、透明導電層上に位置し、かつ、ブラックマトリクスの上に位置する。開口部のうちの少なくとも１つは、隣接するスペーサ間に位置し、スペーサのうちの少なくとも１つは、開口部のうちの少なくとも１つに部分的に重なる。【選択図】図１Ｃ
2016118757.tif 000002
【特許請求の範囲】
【請求項１】
カラーフィルタ基板、
を含み、
前記カラーフィルタ基板は、
第１基板と、
前記第１基板上に配置されるブラックマトリクス及びカラーフィルタ層と、
前記カラーフィルタ層の上及び前記ブラックマトリクスの上に配置される透明導電層と、
前記透明導電層上及び前記ブラックマトリクスの上に位置する複数のスペーサと、を有し、
前記透明導電層は、前記ブラックマトリクスの上方に位置する複数の開口部を有し、
前記開口部のうちの少なくとも１つは、隣接する前記スペーサ間に位置し、前記スペーサのうちの少なくとも１つは、前記開口部のうちの少なくとも１つに部分的に重なる、
表示パネル。
【請求項２】
前記スペーサのうちの少なくとも１つは、前記開口部のうちの少なくとも１つの面積の５〜５０％を覆う、請求項１に記載の表示パネル。
【請求項３】
前記スペーサのうちの少なくとも１つは、前記開口部のうちの少なくとも１つの面積の１０〜３０％を覆う、請求項１に記載の表示パネル。
【請求項４】
前記カラーフィルタ層は、少なくとも２つのカラーレジストを有し、
前記２つのカラーレジストは、異なる色を有し、前記スペーサのうちの少なくとも１つは、異なる色を有する前記２つのカラーレジスト間の境界の延長線上に位置する、請求項１に記載の表示パネル。
【請求項５】
前記カラーフィルタ層は、前記２つのカラーレジスト間の前記境界に位置する凹部を有し、前記凹部の底部は、前記スペーサのうちの少なくとも１つの中心から離れて位置する、請求項４に記載の表示パネル。
【請求項６】
前記少なくとも２つのカラーレジストは、それぞれ、赤いカラーレジスト、緑のカラーレジスト又は青のカラーレジストのうちの少なくとも１つである、請求項４に記載の表示パネル。
【請求項７】
液晶層と、
前記カラーフィルタ基板に組み付けられる薄膜トランジスタ基板と、を更に含む、請求項１に記載の表示パネル。
【請求項８】
前記薄膜トランジスタ基板は、ゲート線及びデータ線を含み、
前記スペーサのうちの少なくとも１つと、前記開口部のうちの少なくとも１つとは、前記ゲート線上に位置し、前記スペーサのうちの少なくとも１つは、前記データ線上に位置する、請求項７に記載の表示パネル。
【請求項９】
前記薄膜トランジスタ基板は、データ線及び画素電極を更に含み、前記開口部のうちの少なくとも１つは、前記データ線の延長方向に沿った前記画素電極の中心に位置する、請求項７に記載の表示パネル。
【請求項１０】
前記薄膜トランジスタ基板は、画素電極を更に含み、前記開口部のうちの少なくとも１つと、前記スペーサのうちの少なくとも１つとは、前記ブラックマトリクスの上に位置し、前記ブラックマトリクスは、前記画素電極を隔てて配置される、請求項７に記載の表示パネル。
【発明の詳細な説明】
【技術分野】
【０００１】
本開示は、概して、表示パネルに関し、特に、より良好な表示品質を有する表示パネルに関する。
【背景技術】
【０００２】
液晶ディスプレイが、ラップトップ、タブレットＰＣなど、種々の電子製品に広く利用されてきた。更に、市場における大型フラットパネルディスプレイの急速な進歩に伴って、軽量で、かつ、小型の液晶ディスプレイが、非常に重要な役割を担い、徐々にＣＲＴディスプレイに取って代わり、市場の主流となってきた。例えば、米国特許第７２１５９３５号明細書は、液晶表示デバイスを開示する。液晶モジュールは、電極の中実／固体部分（ｓｏｌｉｄ  ｐｏｒｔｉｏｎ）に対応する領域だけでなく、開口部に対応する領域において、径方向に傾斜した配向状態で配置される。これにより、液晶モジュールの配向の連続性はより高く、配向状態はより安定し、むらのない均等な表示を実現することができる。
【０００３】
加えて、広視野角を有する液晶ディスプレイが、現在の傾向となってきた。しかしながら、広視野角技術の導入に伴い、表示品質に影響を及ぼす新たな問題も出てきた。それ故、研究者らは、広視野角を有する液晶表示パネルの提供に取り組んできた。
【発明の概要】
【０００４】
本開示は表示パネルに関する。実施形態の表示パネルにおいて、カラーフィルタ基板の上の透明導電層の開口部は、ブラックマトリクスの上方に位置し、かつ、少なくともスペーサと部分的に重なる。それ故、開口率は効果的に増加し、配線の信号伝送における、カップリング容量の不要な影響を低減させることができる。従って、表示パネルの表示品質を向上させることができる。
【０００５】
本開示の一実施形態に従って、表示パネルが備えられる。表示パネルはカラーフィルタ基板を含む。カラーフィルタ基板は、第１基板、ブラックマトリクス、カラーフィルタ層、透明導電層及び複数のスペーサを含む。ブラックマトリクス及びカラーフィルタ層は、第１基板上に配置される。透明導電層は、カラーフィルタ層の上及びブラックマトリクスの上に位置する。透明導電層は、ブラックマトリクスの上方に位置する複数の開口部を有する。スペーサは、透明導電層上及びブラックマトリクスの上に位置する。開口部のうちの少なくとも１つは、隣接するスペーサ間に位置する。スペーサのうちの少なくとも１つは、開口部のうちの少なくとも１つに部分的に重なる。
【０００６】
本発明の上記及び他の特徴は、好ましいが、非限定的な実施形態の以下の詳細な説明に関してより良く理解されるだろう。以下は、添付の図面を参照して説明される。
【図面の簡単な説明】
【０００７】
【図１Ａ】本開示の一実施形態に従った表示パネルの部分的な上面図である。
【図１Ｂ】図１Ａの断面線Ｂ−Ｂ’に沿った断面図である。
【図１Ｃ】図１Ａの断面線Ｃ−Ｃ’に沿った断面図である。
【図２】本開示の他の実施形態に従った表示パネルの上面図である。
【図３Ａ】本開示の更なる実施形態に従った表示パネルの部分的な上面図である。
【図３Ｂ】図３Ａの断面線３Ｂ−３Ｂ’に沿った断面図である。
【図４】本開示の更なる実施形態に従った表示パネルの部分的な分解図である。
【発明を実施するための形態】
【０００８】
本開示の実施形態に従って、表示パネルにおいて、カラーフィルタ基板の上の透明導電層の開口部は、ブラックマトリクス上方に位置し、かつ、少なくともスペーサと部分的に重なる。従って、開口率は効果的に増加することができ、配線の信号伝送における、カップリング容量の不要な影響を低減させることができる。従って、表示パネルの表示品質を向上させることができる。実施形態について、添付の図面を参照して詳細に説明する。実施形態の同一の要素には、同一又は同様の参照番号が付されている。なお、図面は、実施形態を例示するために簡素化され得る。それ故、明細書及び図面は、限定的な意味ではなく、例示的な意味として扱われる。実施形態の構造についての詳細は、例示のためだけであって、開示の保護範囲を限定するためのものではない。本開示の説明の利益を得た後、詳細な構造は、当業者によって修正又は変更され得る。
【０００９】
図１Ａは、本開示の一実施形態に従った表示パネル１００の部分的な上面図を示す。図１Ｂは、図１Ａの断面線Ｂ−Ｂ’に沿った断面図を示す。図１Ｃは、図１Ａの断面線Ｃ−Ｃ’に沿った断面図を示す。図１Ａから図１Ｃに示すように、図１Ａは、表示パネル１００のサブピクセルユニットＰを示す。表示パネル１００は、カラーフィルタ基板１００Ａ、液晶層１００Ｃ及び薄膜トランジスタ基板１００Ｂを含む。液晶層１００Ｃが間に配置されるように、薄膜トランジスタ基板１００Ｂはカラーフィルタ基板１００Ａに組み付けられる。カラーフィルタ基板１００Ａは、第１基板１１０、ブラックマトリクス１２０、カラーフィルタ層１３０、透明導電層１４０及び複数のスペーサ１５０を含む。本実施形態において、カラーフィルタ基板１００Ａの構造では、図１Ａから図１Ｃ（液晶層１００Ｃからカラーフィルタ基板１００Ａに向かう方向に沿って図示）に示すように、ブラックマトリクス１２０及びカラーフィルタ層１３０は、第１基板１１０上に配置される。ブラックマトリクス１２０に重なるカラーフィルタ層１３０の形成に続いて、ブラックマトリクス１２０が第１基板１１０上に作製されるという事実にもかかわらず、図面で示したように、本開示はこれに限定されない。カラーフィルタ層１３０上のブラックマトリクス１２０の形成に続いて、カラーフィルタ層１３０も第１基板１１０上に作製され得る。透明導電層１４０は、カラーフィルタ層１３０の上及びブラックマトリクス１２０の上に配置される。透明導電層１４０は、ブラックマトリクス１２０の上方に位置する複数の開口部１４０Ａを有する。スペーサ１５０は、透明導電層１４０上及びブラックマトリクス１２０の上に位置する。開口部１４０Ａのうちの少なくとも１つは、隣接するスペーサ１５０間に位置し、スペーサ１５０のうちの少なくとも１つは、開口部１４０Ａのうちの少なくとも１つを部分的に覆う。言い換えると、少なくとも１つの開口部１４０Ａは、２つの隣接するスペーサ１５０間に位置し、少なくとも１つの開口部１４０Ａは、２つの隣接するスペーサ１５０のうちの少なくとも一方と部分的に重なる。
【００１０】
言い換えると、図１Ａから図１Ｃに図示したように、開口部１４０Ａは、ブラックマトリクス１２０の上方に位置する。つまり、透明導電層１４０の開口部１４０Ａは、ブラックマトリクス１２０に対応して配置される。一実施形態において、表示パネル１００は、液晶表示パネルなどであり、広視野角の効果を上げるために、透明導電層１４０の開口部１４０Ａは、液晶ＬＣにおける液晶モジュールを誘導して３６０°の方向に傾斜させることができる。しかしながら、開口部１４０Ａの周辺の液晶ＬＣにおける液晶モジュールの配列は不規則であり、開口部１４０ＡがサブピクセルユニットＰの開口領域（表示領域）に位置する場合、暗領域が表示領域に現れる可能性がある。これにより、側面視野角において、光漏れが発生する可能性がある。従来、この問題に対応するために、蓄積容量は、開口部１４０Ａを遮蔽するために開口部１４０Ａに対応して配置され得るが、その結果、開口率を低下させてしまう。少なくとも一方が金属層である２つの電極層間に配置される絶縁層から、蓄積容量が生成される一方で、開口部を介した光漏れの課題を解決するために、透明ではない金属層は、光を遮蔽することができる。これにより、開口率は影響される。本開示の実施形態に従って、スペーサ１５０は、透明導電層１４０上及びブラックマトリクス１２０の上に位置する。つまり、スペーサ１５０は、ブラックマトリクス１２０に対応して配置される。このように、ブラックマトリクス１２０は、スペーサ１５０の形状により生じた、液晶ＬＣにおける液晶モジュールの不規則な配列に遮蔽性を提供することができ、光漏れの課題を解決することができる。加えて、透明導電層１４０の開口部１４０Ａが、ブラックマトリクス１２０に対応して配置される一方で、ブラックマトリクス１２０は、液晶ＬＣが開口部１４０Ａの周辺に不規則に配列される領域Ｒを覆うことができる。これにより、液晶ＬＣが不規則に配列される領域Ｒに関連する暗領域及び光漏れの問題を改善することができる。言い換えると、本開示の実施形態に従って、透明導電層１４０の開口部１４０Ａは、ブラックマトリクス１２０の上方に位置し、これにより、蓄積容量の配置は必要なく、蓄積容量の配置に起因した開口率の低下が防がれる。それ故、開口率は効果的に増加し、光漏れの問題は効果的に防がれ、よって、表示パネル１００の表示品質を向上させることができる。
【００１１】
本実施形態において、図１Ｂ及び図１Ｃに示すように、薄膜トランジスタ基板１００Ｂは、第２基板１７０と、第２基板１７０上に配置される薄膜トランジスタ層１８０とを含むことができる。薄膜トランジスタ基板１００Ｂは、ゲート線ＧＬを含むことができる。ゲート線ＧＬは、薄膜トランジスタ層１８０に位置し、ブラックマトリクス１２０に対応して配置される。このように、スペーサ１５０及び開口部１４０ａもゲート線ＧＬに対応して配置される。本実施形態において、図１Ｂ及び図１Ｃに示すように、スペーサ１５０のうちの少なくとも１つと、開口部１４０Ａのうちの少なくとも１つとは、ゲート線ＧＬ上に位置する。
【００１２】
本実施形態において、図１Ｃに示すように、薄膜トランジスタ基板１００Ｂは、データ線ＤＬを更に含むことができる。スペーサ１５０のうちの少なくとも１つは、データ線ＤＬ上に位置する。
【００１３】
加えて、図１Ｃに示すように、本開示の実施形態に従って、スペーサ１５０のうちの少なくとも１つは、透明導電層１４０の開口部１４０Ａのうちの少なくとも１つを部分的に覆う。本実施形態の開口部１４０Ａは、ブラックマトリクス１２０の上方に位置する一方で、開口部１４０Ａを有する透明導電層１４０は、ブラックマトリクス１２０の上にも配置される。カップリング容量は、ブラックマトリクス１２０の上の透明導電層１４０の一部と、ブラックマトリクスに対応するゲート線ＧＬとの間に生成され、これにより、信号干渉の問題が生じる。本開示の実施形態において、ブラックマトリクス１２０の上の透明導電層１４０の面積を小さくするか、あるいは、開口部１４０Ａの面積を大きくすることにより、カップリング容量は低減され得る。これにより、表示パネル１００の配線の信号伝送におけるカップリング容量の不要な影響を低減させることができる。
【００１４】
更に、表示パネルの１インチ内の画素（ｐｐｉ：ｐｉｘｅｌ−ｐｅｒ−ｉｎｃｈ）の増加と共に、より多くの画素が表示パネルの１つの単位領域に配置されることが求められ、それ故、単位画素のサイズを小型化しなければならない。従って、スペーサ１５０の製造方法及び材料は限定されるので、スペーサ１５０のサイズは最小限度を有する。ブラックマトリクス１２０における透明導電層１４０の面積を小さくするか、あるいは、開口部１４０Ａの面積を大きくすることにより、透明導電層１４０とゲート線ＧＬとの間のカップリング容量が低減される一方で、少なくとも１つのスペーサ１５０は、透明導電層１４０のうちの少なくとも１つの開口部１４０Ａを部分的に覆うように設計され得る。これにより、スペーサ１５０は、比較的、より大きなサイズを有することができ、透明導電層１４０の開口部１４０Ａも、比較的、より大きな面積を有することができる。これは、表示パネルの広視野角効果にとって有利である。
【００１５】
一部の実施形態において、スペーサ１５０のうちの少なくとも１つは、開口部１４０Ａのうちの少なくとも１つの面積の５〜５０％を覆う。つまり、１つ又は多くのスペーサ１５０が、１つの開口部１４０Ａの面積の５〜５０％を覆うことができる。
【００１６】
他の実施形態おいて、スペーサ１５０のうちの少なくとも１つは、開口部１４０Ａのうちの少なくとも１つの面積の１０〜３０％を覆う。つまり、１つ又は多くのスペーサ１５０が、１つの開口部１４０Ａの面積の１０〜３０％を覆うことができる。
【００１７】
本実施形態において、図１Ａに示すように、１つの開口部１４０Ａは２つのスペーサ１５０と部分的に重なる。しかしながら、開口部１４０Ａに部分的に重なるスペーサ１５０の数の選択は、実際の必要性に応じて変更することができ、かつ、これに限定されない。
【００１８】
本実施形態において、透明導電層１４０の材料は、ＩＴＯなどでよい。しかしながら、透明導電層１４０の材料の選択は、実際の必要性に応じて変更することができ、かつ、これに限定されない。
【００１９】
本実施形態において、図１Ｂに示すように、カラーフィルタ層１３０は、少なくとも２つのカラーレジスト１３０Ａ、１３０Ｂを有する。カラーレジスト１３０Ａ及びカラーレジスト１３０Ｂは、同一又は異なる色を有することができる。本実施形態において、カラーレジスト１３０Ａ及びカラーレジスト１３０Ｂは、それぞれ、赤のカラーレジスト、緑のカラーレジスト又は青のカラーレジストのうちの１つでよい。例えば、カラーレジスト１３０Ａは、赤のカラーレジストなどで、カラーレジスト１３０Ｂは、緑のカラーレジストなどである。しかしながら、配色及びカラーレジストの数は、実際の必要性に応じて変更することができ、かつ、これに限定されない。
【００２０】
本実施形態において、図１Ｂ及び図１Ｃに示すように、表示パネル１００は、平坦化層１６０を更に含むことができる。平坦化層１６０は、カラーフィルタ層１３０と、ブラックマトリクス１２０と、カラーフィルタ層１３０及びブラックマトリクス１２０の上に位置する透明導電層１４０との間に配置される。
【００２１】
本実施形態において、図１Ｂに示すように、薄膜トランジスタ基板１００Ｂは、薄膜トランジスタ層１８０上に配置される画素電極１９０を含むことができる。一実施形態において、薄膜トランジスタ基板１００Ｂの画素電極１９０は、カラーフィルタ基板１００Ａのカラーレジストに対応して配置される。
【００２２】
本実施形態において、画素電極１９０の材料はＩＴＯなどでよい。しかしながら、画素電極１９０の材料の選択は、実際の必要性に応じて変更することができ、かつ、これに限定されない。
【００２３】
図２は、本開示の他の実施形態に従った、表示パネル２００の上面図を示す。前述の実施形態における要素と同様又は同一の符号を共有する本実施形態における要素は、同様又は同一の要素であり、その説明は省略される。
【００２４】
図２に示すように、表示パネル２００のカラーフィルタ基板は、マトリクス状に配置される複数のサブピクセルユニットＰを含む。本実施形態において、表示パネル２００内のカラーフィルタ層は、複数のカラーレジストを有する。同じ列に配置されるカラーレジストは、同じ色を有し、同じ行に配置される隣接するカラーレジストは、異なる色を有する。例えば、表示パネル２００において、同じ列におけるカラーレジストは、全て、カラーレジスト１３０Ａ、カラーレジスト１３０Ｂ又はカラーレジスト１３０Ｃでよい。同じ行におけるカラーレジストは、カラーレジスト１３０Ａ／カラーレジスト１３０Ｂ／カラーレジスト１３０Ｃのユニットを繰り返すことで配置される。
【００２５】
一実施形態において、表示パネル２００では、カラーフィルタ基板のカラーレジストは、それぞれ、薄膜トランジスタ基板の画素電極に位置合わせして配置される。
【００２６】
図３Ａは、本開示の更なる実施形態に従った表示パネル３００の部分的な上面図を示し、図３Ｂは、図３Ａの断面線３Ｂ−３Ｂ’に沿った断面図を示す。前述の実施形態における要素と同様又は同一の符号を共有する本実施形態における要素は、同様又は同一の要素であり、その説明は省略される。
【００２７】
本実施形態において、図３Ａ及び図３Ｂに示すように、カラーフィルタ層１３０は、異なる色を有する、カラーレジスト１３０Ａとカラーレジスト１３０Ｂとの間の境界に位置する凹部１３０ｃを有する。凹部１３０ｃの底部１３０ｂは、スペーサ１５０のうちの少なくとも１つの中心１５０ｃから離れて位置する。つまり、凹部１３０ｃの底部１３０ｂは、スペーサ１５０のうちの少なくとも１つの中心１５０ｃに位置しない。
【００２８】
図３Ａ及び図３Ｂに示すように、スペーサ１５０のうちの少なくとも１つは、異なる色を有する、カラーレジスト１３０Ａとカラーレジスト１３０Ｂとの間の境界の延長線上に位置する。凹部１３０ｃの底部１３０ｂは、スペーサ１５０の中心１５０ｃに位置合わせされない。実際に、凹部１３０ｃの底部１３０ｂは、スペーサ１５０の中心１５０ｃから離れて位置する。言い換えると、スペーサ１５０の中心１５０ｃは、２つのカラーレジスト間の境界にちょうど位置しない。
【００２９】
本実施形態において、図３Ａ及び図３Ｂに示すように、１つの開口部１４０Ａは、１つのスペーサ１５０と部分的に重なる。
【００３０】
図４は、本開示の更なる実施形態に従った表示パネル４００の部分的な分解図を示す。前述の実施形態における要素と同様又は同一の符号を共有する本実施形態における要素は、同様又は同一の要素であり、その説明は省略される。
【００３１】
本実施形態において、透明導電層１４０の開口部１４０Ａのうちの少なくとも１つは、画素電極１９０の中心に位置する。図４に示すように、カラーフィルタ基板１００Ａの透明導電層１４０の開口部１４０Ａは、データ線ＤＬの延長方向に沿った、薄膜トランジスタ基板１００Ｂの画素電極１９０の中心に対応している。一実施形態において、カラーフィルタ基板１００Ａの透明導電層１４０の開口部１４０Ａは、薄膜トランジスタ基板１００Ｂの画素電極１９０の中心に対応している。言い換えると、薄膜トランジスタ基板１００Ｂの画素電極１９０は、ブラックマトリクス１２０によって露出される開口部のうちの１つに対応するカラーフィルタ層１３０と部分的に重なる。つまり、ブラックマトリクス１２０によって露出される開口部のうちの１つに対応するカラーレジスト１３０Ａは、薄膜トランジスタ基板１００Ｂの画素電極１９０と位置ずれして（ｍｉｓａｌｉｇｎｅｄ）配置される。
【００３２】
本実施形態において、図１Ａから図１Ｃを参照すると、開口部１４０Ａのうちの少なくとも１つと、スペーサ１５０のうちの少なくとも１つとは、ブラックマトリクス１２０の上に位置し、ブラックマトリクス１２０は、画素電極１９０を隔てて配置（ａｒｒａｎｇｅｄ  ａｃｒｏｓｓ）される。
【００３３】
本開示の実施形態に従って、図１Ａから図１Ｃと図４とを参照すると、カラーフィルタ基板１００Ａのカラーレジスト１３０Ａは、薄膜トランジスタ基板１００Ｂの画素電極１９０と位置ずれして配置される。これにより、カラーフィルタ基板１００Ａ側に位置する開口部１４０Ａは、全てのサブピクセルユニットＰのブラックマトリクス１２０に対応し、かつ、画素電極１９０の中心又は中間部分、つまり、サブピクセルユニットＰの中心又は中間部分に対応している。本実施形態において、図４に示すように、ブラックマトリクス１２０は、カラーフィルタ層１３０の２つの隣接するカラーレジスト１３０Ａ間に位置し、かつ、画素電極１９０の中心に対応している。従って、そのような設計で、透明導電層１４０の開口部１４０Ａは、薄膜トランジスタ基板１００Ｂの画素電極１９０の中心に対応することができる。従って、開口率が増加しながら、液晶の良好で均一な配列の効果を有する表示パネルを提供することができる。
【００３４】
一実施形態において、図４に示すようなカラーフィルタ基板１００Ａは、図２に示すように、マトリクス状に配置され得る。更に、カラーフィルタ基板１００Ａの下方に配置される薄膜トランジスタ基板１００Ｂの画素電極１９０のユニットも、マトリクス状に配置される。同じ列のカラーレジストは、同じ色を有する。図４に示すようなやり方に従って、２つのマトリクス状の画素電極１９０及びカラーレジストは、列方向に沿って位置ずれして配置され得る。つまり、高い開口率と、液晶配列の優れた効果を有する表示パネルを形成するために、カラーレジスト及び画素電極は、サブピクセルユニットの約半分だけ、列方向に沿って位置ずれして配置される。
【００３５】
本発明は、実施例を用いて、かつ、好ましい実施形態の観点から説明されてきたが、本発明はこれらに限定されないということが理解される。むしろ、種々の変更形や同様の配置及び手順を含むことが意図される。従って、そのような変更形や同様の配置及び手順を全て包含するように、添付の請求項の範囲には、最も広い解釈が与えられるべきである。
【符号の説明】
【００３６】
１００    表示パネル
１００Ａ    カラーフィルタ基板
１００Ｂ    薄膜トランジスタ基板
１００Ｃ    液晶層
１１０    第１基板
１２０    ブラックマトリクス
１３０    カラーフィルタ層
１３０Ａ    カラーレジスト
１３０Ｂ    カラーレジスト
１３０Ｃ    カラーレジスト
１３０ｂ    底部
１３０ｃ    凹部
１４０    透明導電層
１４０Ａ    開口部
１４０ａ    開口部
１５０    スペーサ
１５０ｃ    中心
１６０    平坦化層
１７０    第２基板
１８０    薄膜トランジスタ層
１９０    画素電極
２００    表示パネル
３００    表示パネル
４００    表示パネル
ＤＬ    データ線
ＧＬ    ゲート線
ＬＣ    液晶
Ｐ    サブピクセルユニット
Ｒ    領域
【図１Ａ】
2016118757.tif 000003
【図１Ｂ】
2016118757.tif 000004
【図１Ｃ】
2016118757.tif 000005
【図２】
2016118757.tif 000006
【図３Ａ】
2016118757.tif 000007
【図３Ｂ】
2016118757.tif 000008
【図４】
2016118757.tif 000009